(57)【要約】【課題】球流路の形態の多様化に対して製造コストの上昇を招くことなく対応できる構成を備えた弾球遊技機を提供する。【解決手段】正面側に、遊技球が流下する遊技領域６と、遊技領域６内を流下する遊技球が入賞し得る入賞口６ｄ１とを備える遊技盤３であって、遊技盤３の背面側に、入賞口６ｄ１に入賞した遊技球が排出する入賞球排出口３０と、入賞を検出する入賞球センサ２５０と、該入賞球排出口３０から排出された入賞球を入賞球センサ２５０へ向けて導球する導球路２００と、回路基盤３０１を収容するケース３００とを備え、前記導球路２００の一部は、前記ケース３００の一部で構成されていることを特徴とする。【選択図】図３
2007268111.tif 000002
【特許請求の範囲】
【請求項１】
正面側に、遊技球が流下する遊技領域と、
遊技領域内を流下する遊技球が入賞し得る入賞口とを備える遊技盤であって、
遊技盤の背面側に、入賞口に入賞した遊技球が排出する入賞球排出口と、
入賞を検出する入賞球センサと、
該入賞球排出口から排出された入賞球を入賞球センサへ向けて導球する導球路と、
回路基盤を収容するケースとを備え、
前記導球路の一部は、前記ケースの一部で構成されていることを特徴とする弾球遊技機。
【請求項２】
前記導球路は、樹脂成型されていることを特徴とする請求項１記載の弾球遊技機。
【発明の詳細な説明】
【技術分野】
【０００１】
本発明は、弾球遊技機に係り、詳しくは、導球路の構成に関する。
【背景技術】
【０００２】
周知のように、パチンコ遊技機においては、普通機と称されて、可変表示部を持たずに、遊技盤表面にセンター役物および周辺部の入賞口にチューリップを設け、パチンコ球等を用いた遊技球の入賞状態をセンター役物やチューリップの近傍に設けてある導釘の調整により変化させ、入賞した際に賞球の払い出しがセンター役物やチューリップの種別毎に異なるようにした機種がある。
【０００３】
センター役物は演出動作のためにモータなどの駆動源が用いられ、周辺部の入賞口に設けてあるチューリップは機械式の開閉機構を用いて入賞に合わせて開放する構成とされている。この種のチューリップを装備している入賞口は、抽選遊技を適用する機種の場合のように、大入賞口が抽選結果に応じて開閉するのと違って、入賞毎に開放して賞球の払い出しを行う方式である、このため、入賞チャンスの頻度が獲得する賞球数にも影響するので、遊技者の興趣性をそがないように、比較的多く設けることがある。
【０００４】
一方、遊技盤の裏面には、入賞した遊技球を検知する通過センサを有する導球路が設けられており、その導球路は、遊技盤表面に備えられている入賞口に入った遊技球を回収部に導くことができるようになっている。
【０００５】
導入路の構成としては、遊技盤裏面において互いに対向した状態で直立して設けられることにより導球路の溝を構成する側壁と、側壁における遊技盤裏面側と反対側の端部を覆うカバーとを用いて遊技盤裏面側を開放した樋状としたものがある（例えば、特許文献１）。
【０００６】
【特許文献１】特開２００４−７３７５０号公報
【発明の開示】
【発明が解決しようとする課題】
【０００７】
入賞口を多数設けた場合には、その入賞口に連通する導球路の数も増加し、回収部に至る流路の形態、つまり、長さや迂回方式なども多様化する。
一般に、導球路は樹脂成形される構成が多く、このため、流路の多様化によって導球路の成形に用いられる金型も多く必要となり、製造コストの上昇を招く。
特に、入賞口の位置変更などが行われると、そのたびに金型の変更を強いられることもあり、結果的に遊技機の製造コストが上昇するのを避けることができなくなる虞がある。
【０００８】
本発明は、上記従来の弾球遊技機における問題、特に導球路の設置構造における問題に鑑み、球流路の形態の多様化に対して製造コストの上昇を招くことなく対応できる導球路の構成を備えた弾球遊技機を提供することを目的としている。
【課題を解決するための手段】
【０００９】
この目的を達成するため、本発明は次の構成よりなる。
（１）正面側に、遊技球が流下する遊技領域と、
遊技領域内を流下する遊技球が入賞し得る入賞口とを備える遊技盤であって、
遊技盤の背面側に、入賞口に入賞した遊技球が排出する入賞球排出口と、
入賞を検出する入賞球センサと、
該入賞球排出口から排出された入賞球を入賞球センサへ向けて導球する導球路と、
回路基盤を収容するケースとを備え、
前記導球路の一部は、前記ケースの一部で構成されていることを特徴とする弾球遊技機。
【００１０】
（２）前記導球路は、樹脂成型されていることを特徴とする請求項１記載の弾球遊技機。
【発明の効果】
【００１１】
本発明によれば、導球路の一部を遊技機に装備される部材を利用して構成することにより導球路の構成部品点数を低減して製造コスト上昇を抑制することができる。特に請求項１記載の発明においては、遊技機に装備される部材の一つである回路基板のケースを導球路の一部として兼用することにより導球路の構成部品数を少なくすることができる。
【００１２】
また請求項２記載の発明においては、導球路が樹脂成形される際には、その一部を既存の遊技機装備品でまかなうことにより金型の構成を簡単化することができる。
【発明を実施するための最良の形態】
【００１３】
図１は、本実施形態における遊技機の一部である遊技面を示す図である。以下、本明細書において、遊技機において遊技者が位置する側を前面・前側又は正面側として表現し、この面と反対側の面を後面・後側又は背面側とする。
【００１４】
同図において弾球遊技機１００は、外郭方形枠サイズに形成されて縦長の固定保持枠を構成する外枠１の開口前面に、外枠１に合わせて方形枠サイズに形成された開閉搭載用の前枠２を備えている。
前枠２は、外枠１の正面左側上下に取り付けられたヒンジ金具（図１では、便宜上、上側のヒンジ金具のみが示され、符号３Ａにより示してある）により外枠１に対して開閉可能に取り付けられ、さらに、外枠１の正面右側に設けられた施錠装置４によって閉鎖状態に保持されるようになっている。
【００１５】
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
前枠２における前面上部側には、遊技盤３を視認できるような透明なガラス盤を備えた前扉７０が水平方向に且つ着脱可能に設けられ、通常は、施錠装置４により閉鎖状態に保持されて遊技盤３の前面を覆っている。
【００１６】
また、遊技盤３における遊技領域下方には、アウト球を回収するアウト口７も設けられており、入賞せずに落下したアウト球を遊技盤３の背面側から機外に排出できるようになっている。さらに、図示していないが、遊技盤の下方には、前枠２に対して開閉自在に支持されている背面盤（図示されず）に取り付けられた一体皿が設けられており、一体皿には貸し球あるいは賞球を貯めておくことができる受け皿や発射ハンドルおよび灰皿などが設けられている。
【００１７】
遊技領域６には、略中央部にはステージ開口６ａが設けられており、ステージ開口６ａの内部には、センター役物としてステージ開口６ａに入った遊技球の進行方向を振り分けることができる可動装飾物６ｂと、振り分けられた遊技球が入賞する複数の入賞口６ｃが設けられている。
【００１８】
遊技領域６におけるステージ開口６ａの周囲には、上方および盤面の左右対称位置に複数の入賞口６ｄ１〜６ｄ４が、そしてステージ開口６ａの下方で遊技領域６の左右方向中心にも入賞口６ｄ５がそれぞれ設けられており、これら各入賞口のうちで、ステージ開口６ａの上方を除く位置に設けてある入賞口６ｄ２〜６ｄ５には、遊技盤３の表面に遊技球の投入により開放可能なチューリップ（便宜上、図１においてチューリップを、入賞口として用いた符号６ｄ１〜６ｄ５により示す）が設けられている。
【００１９】
各入賞口の裏側に相当する遊技盤３の背面側には、各入賞口に入賞した遊技球を回収するために遊技盤正面側から遊技球を排出することができる導球路２００が設けられている。
図２は、遊技盤３の裏面を示しており、同図において、導球路２００は、遊技領域に設けてある入賞口に連通する入賞球排出口３０と対向する延長方向一端部と図示しない回収部に連続する延長方向他端部とを備えた樋状部材であり、入賞球を回収部に向けて排出する際に入賞センサに向けて導くために用いられるようになっている。なお、図２には、導球路２００における球通過用空間の底部に相当する面が開放されて空間内が見える状態が示されている。
【００２０】
導球路２００は、図３に示すように、遊技盤３の背面側で入賞球の通過幅を以て対向する側壁２００ａと、遊技盤３の背面側と反対側に位置して樋状の球通路における底部に相当する面（図３では、この面が開放された状態で示されている）とで入賞球を通過させることができる空間を構成しており、底部に相当する面が側壁２００ａとは独立して構成されるようになっている、なお、側壁２００ａにおける対向面には、流下する遊技球の減速用としての凸部が延長方向に沿って複数形成されている。
【００２１】
つまり、導球路２００は、図２に示すように、各入賞口を始端とし、回収部側を終端としてこの両端間で延長される場合に、その始端が各入賞口に連通している入賞球排出口３０と対向するとともに、終端側が回収部（図示されず）に至る経路を設定され、そしてその途中には、図２および図３に示すように、入賞球の通過を検知する入賞球センサ２５０の装填部２００ｂが設けられている。
【００２２】
入賞球センサ２５０は、図３において二点鎖線で示すように、センサの係止爪を有するホルダ２５１に装着されており、ホルダ２５１が遊技盤３に締結されることにより導球路２００中に球の通過部が進出した状態で固定される。
【００２３】
一方、導球路２００における球通過用空間において遊技盤３と反対側で空間の底部に相当する面には、図３に示すように、遊技機に装備される回路基板３０１を収容するために用いられるケース３００が対向して配置されている。
つまり、ケース３００は、遊技機１００での電飾等の制御を行うために用いられる回路基板３０１を収容する部材であり、収容された回路基板３０１を覆うためのカバー３０２により内部を塞がれている。
ケース３００およびカバー３０２には、４隅の同一位置にネジ挿通孔３００ａ，３０２ａがそれぞれ形成されており、これらネジ挿通孔３００ａ，３０２ａには、遊技盤３の背面側に設けてあるネジ固定部３１に向けて固定ネジ３０３が挿通される。これにより、ケース３００およびカバー３０２が共締めにより遊技盤３に取り付けられるようになっている。
ケース３００は、遊技盤３に取りけられると、導球路２００における球通過用空間の底面を塞ぐ状態となる。
【００２４】
本実施形態では、導球路２００が球の通過用空間を構成する側壁２００ａのみが遊技球の減速用凸部を一体化して形成する必要からこのような成形が可能な樹脂成型品とされている。これにより、導球路２００における球通過用空間を構成する部材の一つが側壁２００ａと一体成形されるのでなく、遊技機に装備される既存構成部品である回路基板３０１の収容に用いられるケース３００でまかなうことができる。
【００２５】
従って、樋状をなす球通過用空間の側面および底面を塞いだ断面構造を得る際に、側面および底面を一体化するための成型用金型を用いるのではなく、側壁２００ａのみを対象として成形できる金型を用いることができるので、使用する樹脂材料の低減および金型の加工コストを低減することができる。
【００２６】
一方、導球路２００は、遊技盤３の背面において得られる設置スペースの形態に合わせてステージ開口６ａの周辺を迂回させた構成とすることが多い。このため、始端である入賞球排出口３０から回収部に至るまでの延長経路の長さやその曲がり具合などが遊技機毎に異なる場合もある。
本実施形態では、このような遊技機同士で導球路２００の設置状況が違っている場合にも対処できるようにしてある。
つまり、導球路２００を延長方向で所定長さを持たせて複数に分割し、さらに、曲部もその半径を複数種類設定して成形したものを準備し、図４（Ａ）、（Ｂ）に示すように、各側壁の延長方向端面および曲部部分の端面には、突起２００ａ１，２００ａ２と凹部２００ａ３，２００ａ４からなる嵌合部をそれぞれ相対位置関係となるように形成しておく。
遊技機３への実装時には、延長長さに対応して側壁２００ａおよび曲部を繋ぎ合わせることで必要な延長形態を設定することができる。
【００２７】
本実施形態は以上のような構成であるから、遊技盤３の背面側に導球路２００の構成部材の一つである側壁２００ａが取り付けられる。次いで、ケース３００を遊技盤３の背面に取り付ける。これにより、導球路２００における球通過用空間を構成する底面がケース３００によって塞がれ、ここに導球路２００での球通過用空間が構成される。
【００２８】
図５は、図３において符号（５）で示す方向の矢視断面図であり、同図に示すように、遊技盤３の背面側に取り付けられた側壁２００ａにおいて遊技盤３の背面側と反対側に位置する球通過用空間の底面がケース３００によって塞がれるので、本来ならば断面コ字状の球通路用空間を側壁および底面を一体成形することにより得るのを、回路基板３０１を収容するケース３００という既存構成部材により底面部を構成することで部品点数の低減を図ることができる。
なお、上記実施形態においては、導球路２００の構成部材の一つである側壁２００ａに関して、遊技盤３の背面側への取付構造が示されていないが、側壁２００ａにおける遊技盤３の背面側にフランジなどを設けて遊技盤３の背面に対する締結構造を用いることが可能である。
【図面の簡単な説明】
【００２９】
【図１】本発明を実施するための最良の形態を説明するための遊技機の要部正面図である。
【図２】図１に示した遊技機の背面側を示す図である。
【図３】図１に示した遊技機に設けられる導球路の構成を説明するための部分的な斜視図である。
【図４】図３に示した導球路の要部変形例を示す部分的な斜視図である。
【図５】図３において符号（５）で示す方向の矢視断面図である。
【符号の説明】
【００３０】
１００  弾球遊技機
１    外枠
２    前扉
３Ａ、３Ｂ    ヒンジ金具
３    遊技盤
６    遊技領域
６ａ    ステージ開口
６ｄ１〜６ｄ５    入賞口
３０    入賞排出口
２００    導球路
２００ａ    側壁
２５０    入賞球センサ
３００    ケース
３０１    回路基板
３０２    カバー
【図１】
2007268111.tif 000003
【図２】
2007268111.tif 000004
【図３】
2007268111.tif 000005
【図４】
2007268111.tif 000006
【図５】
2007268111.tif 000007